Podtech/llm-jp-corpus-v4-ja_patent huggingface dataset:
(57)【要約】【課題】  大便、または小便時に便器の蓋或いは便座に接触するのは不可避で有った。【解決手段】  便座に当該器具を設置することにより、直接便蓋、便座への接触を防ぎ特に不特定多数が使用する施設においては非常に衛生的な便座、及び蓋つり上げ取手。【選択図】図１
2017185164.tif 000002
【特許請求の範囲】
【請求項１】
便座上部に取手を設け、取手に引っかけ具を付属させ、便座、便器蓋を個別、または同時に開閉させる便座、及び蓋つり上げ取手。
【発明の詳細な説明】
【技術分野】
【０００１】  本発明は、洋式便器の蓋、及び便座の開閉について、蓋のみの開閉、又は蓋、及び便座の同時開閉を可能にした便座、及び蓋引っかけつり上げ取手に関する物である。
【背景技術】
【０００２】  従来の洋式便器は蓋、及び便座は個別に開閉するようになっている。
また、蓋のみの開閉、または便座との同時に開閉を可能にした便座開閉器も発明されている。
【先行技術文献】
【特許文献】
【０００３】
【特許文献１】  特開２０１５−００８９００号公報
【特許文献２】  特開２００９−２７９０２７号公報
【特許文献３】  特開２００９−０４５４１４号公報
【発明の概要】
【発明が解決しようとする課題】
【０００４】（イ）便器を使用するにあたって便器蓋、或いは便座への接触は不可避である。
（ロ）便器蓋便座を持ち上げるときに腰を大きく曲げなくては成らない。
（ハ）家庭便器以外は複数の人間が使用し、非常に不潔で有る。
【問題を解決するための手段】
【０００５】  便座上部に取手を設け、取手に引っかけ具を付属させ、便座、便器蓋を個別、または同時に開閉させる便座、及び蓋つり上げ取手。
【発明の効果】
【０００６】  本発明の洋式便器の蓋及び便座引っかけつり上げ取手は、洋式便器の蓋の前端、または前側部に設置する物であり、取手を掴みあげることにより、洋式便器の蓋、または蓋と便座の両方の開閉を選択することができる。
蓋のみの開閉は取手の前面についた装置を押しながら持ち上げることによって行い、蓋と便座の開閉は取手のみを持ち上げ便座をつり上げることによりなされる。
さらに、蓋よりも取っての位置が高い所にあるため取手をつかみあげるときの前屈の角度が浅くなり腰への負担が軽減する。
本発明を使用することにより、本発明以外の便器、及び便座に一切触れることなく蓋、あるいは便座との同時開閉を衛生的に腰への負担も少なく行うことができる。
【図面の簡単な説明】
【図１】本体１は本体底面５において、便器蓋前端上部に固定される。本体１、取手本体、便座つり上げ部２、可動便座引っかけ、便座つり上げ部２は上下に動く。便座つり上げ部２の上は前後に動く。便座つり上げ部２の動きに連動して便座引っかけ部４が反対方向前後に動く。便座つり上げ部２の１、２の結合部（遊び在り）３はゴム、またはバネ、あるいはある程度の遊びをもって本体１と接合されている。ホンタイ１は本体底面５の部分によって便蓋前端周辺部と結合される。
【図２】本体の分解図
【発明を実施するための形態】
【０００８】  本発明の実施の形態について説明する。
便座上部に取手を設け、取手に引っかけ具を付属させ、便座、便器蓋を個別、または同時に開閉させる便座、及び蓋つり上げ取手。
便座上部に取手を設け、取手に引っかけ具を付属させ、便座、便器蓋を個別、または同時に開閉させる便座、及び蓋つり上げ取手である。
単純に本体１を矢印方向に持ち上げると便座は便座引っかけ部４により引っかけられ便蓋とともに上方に引き上げられ便蓋と便座が開いた状態となる。
便座つり上げ部２を矢印方向に押しながら本体１を上方に引き上げると便座引っかけ部４が反対方向に動き便座から外れ便蓋のみが引き上げられる。
この場合でも本体１を下げると便座引っかけ部４が遊びにより便器方向に動き、最初の位置に戻り便蓋のみ、または便座と両方を上げる位置にセットされる。
【符号の説明】
【０００９】    １  本体
２  便座つり上げ部
３  １、２の結合部（遊び在り）
４  便座引っかけ部
５  本体底面
６  ゴムワッシャー
【図１】
2017185164.tif 000003
【図２】
2017185164.tif 000004
(57)【要約】【課題】  靴を履くときに後ろの部分が折れた曲がった場合に、履きやすいように、靴ベラにその折れ曲がったところを引っ掛けて引き上げる切れ込みを設けた靴ベラを提供する。【解決手段】  靴ベラ本体の下方部分に切り込み部を設けたことを特徴とする引っ掛け切り込み入り靴ベラ。【選択図】図１
2017185179.tif 000002
【特許請求の範囲】
【請求項１】
靴ベラ本体の下方部分に切り込み部を設けたことを特徴とする引っ掛け切り込み入り靴ベラ。
【発明の詳細な説明】
【技術分野】
【０００１】  この発明は、靴ベラに切り込みを入れ、靴の靴を履くときに後ろが折れ曲がっていた場合に、その折れ曲がった部分を切り込み部分で引っ掛け引き上げて靴を履きやすくした引っ掛け切り込み入り靴ベラに関するものである。
【背景技術】
【０００２】  従来、靴を履くときに後ろの部分が折れ曲がっていた場合や足を入れた際に、その部分が折れ曲がった場合に、その折れ曲がった部分を手で引き揚げてから靴ベラを使用して靴を履いていた。
なお、類似のものとしては、フックを付けて靴のファスナーのつまみを引っ掛けられるようにし、ファスナー付きの靴を履いたり脱いだりするときの腰や膝の屈折負担を軽減したもの（特許文献１参照）
および、フックをつけて靴の上部にあるベロがずれたりした場合に、それをつまみ正常な位置に引き上げて靴を履くものが知られている（特許文献２参照）。
【先行技術文献】
【特許文献】
【０００３】
【特許文献１】  特開２００９−２６１８７８号公報
【特許文献２】  特開２０１２−１５２３６８号公報
【発明の概要】
【発明が解決しようとする課題】
【０００４】  従来の靴ベラは、次のような欠点があった。
靴の後ろの折れ曲がったところを手で引き揚げてから靴ベラを使用して履いていたのは、時間的、労働的負担であった。
本発明は、以上のような欠点をなくすためになされたものである。
【課題を解決するための手段】
【０００５】  靴ベラ本体の下方部分に切り込み部を設けたことを特徴とする引っ掛け切り込み入り靴ベラ靴ベラ。
【発明の効果】
【０００６】  本発明は、従来の靴ベラに靴の折れ曲がったところを引っ掛けて引き上げる切れ込みが設けられているので、靴の折れ曲がったところを手で引き揚げる手間を省ける。
【図面の簡単な説明】
【０００７】
【図１】  本発明の正面図である。
【図２】  本発明の斜視図である。
【発明を実施するための形態】
以下、本発明を実施するための形態について説明する。
通常の靴ベラに、靴を履くときに靴の後ろの部分が折れ曲がっている場合に、その折れ曲がったところを引っ掛けて引き揚げられる切れ込みを設ける。
靴ベラ本体の素材は、耐久性のあるプラスチック、ステンレス、革製品、木材等で、それらの靴ベラの下から約３ｃｍのところから上に靴ベラの使用強度に影響を及ぼさない形状の切れ込みを設ける。
その切れ込みで靴の後ろの折れ曲がったところを引っ掛けて引き上げられるように加工する。
本発明は、以上のような構造である。
これを使用するときは、靴ベラの柄を持って、靴の後ろの折れ曲がったところに切れ込み部分を引っ掛けて元に戻し、靴を履けば良い。
【符号の説明】
【０００９】    １  靴ベラの柄
２  靴ベラの切り込み部
【図１】
2017185179.tif 000003
【図２】
2017185179.tif 000004
(57)【要約】【課題】本発明は、車椅子の支持構造の進化に、汎用性を追及し、日常生活に快適に少なくとも１種類を利用とする車椅子の製造技術を提供する。【解決手段】その為に、安全・安心が得られる車椅子は、スムーズな走行を取り入れた多機能性を考慮し、多様化に活用出来ることを特徴とする。【選択図】図なし【特許請求の範囲】
【請求項１】
車椅子に段差を越える機能と軽量支持構造に転倒防止部材を備えたことを特徴とする。
【請求項２】
前記を特徴とするその製造方法。
【請求項３】
上記の操作を手動・電動・転倒防止部材の安全装置を特徴とする。
【請求項４】
前記を特徴とするその製造方法。
【請求項５】
前記を軽量素材成形にしたことを特徴とする集合体。
【請求項６】
前記を特徴とするその製造方法。
【請求項７】
前記を特徴とする素材は、その車椅子の被覆を特徴とする。
【請求項８】
前記を特徴とするその製造方法。
【請求項９】
前記の車椅子は、集合体形状にしたことを特徴する。
【請求項１０】
前記を特徴とするその製造方法。
【請求項１１】
本発明は、安全重視のメカニズムを取り入れ、安全装置作動を特徴とする。
【請求項１２】
前記を特徴とするその製造方法。
【請求項１３】
前記の工程を特徴とする被覆。
【請求項１４】
前記を特徴とするその製造方法。
【請求項１５】
上記の工程は、少なくとも１種類を含むことを特徴とする。
【請求項１６】
上記を特徴とするその製造方法。
【請求項１７】
本発明の車椅子は、操作から選ばれる少なくとも１種類を含むことを特徴とする。
【請求項１８】
前記の車椅子の支持構造は、軽量を特徴とするその製造方法。
【請求項１９】
前記の成形は、いずれか、おおよその請求項を含む製造方法を特徴とする。
【請求項２０】
前記の製造範囲を逸脱しない変更は、本発明に含まれる。
【請求項２１】
上記を特徴とするその製造方法。
【請求項２２】
前記のいずれかの成形を有することを特徴とする。
【請求項２３】
上記を特徴とするその製造方法。
【発明の詳細な説明】
【技術分野】
【０００１】本発明は、段差を越えられる車椅子に関する。
【背景技術】
【０００２】従来、段差を越えられる車椅子は軽量支持体の被覆開発・被覆工夫が行われなかった理由は、実施製造工程において設計・部材・型材と製作技術がかかり高額なものになる。
【発明の開示】
【発明が解決しようとする課題】
【０００３】本発明の軽量支持体の車椅子は、素材の軽量を特徴とする。安定供給が確保でき、製造コストが安価で安全・安心を提供する。
【課題を解決するための手段】
【０００４】本発明の軽量素材は、一体機能に安全装備を可能にしたことを特徴とする。
【発明の効果】
【０００５】本発明の車椅子は、補助輪を備え、想定可能な安全機能を特徴とした。【０００６】本発明は、車椅子の補助輪・転倒防止支持体を特徴とする。【０００７】本発明は、転倒防止部材の向上を特徴とする。【０００８】上記は、行動範囲に貢献できる。
【発明を実施するための最良の形態】
【０００９】本発明の車椅子は、転倒防止の安全な車椅子の提供をする。フラット面・傾斜面・段差を超えるにも容易な操作で安定した状態を保つことができる。【００１０】全体に違和感のないことを特徴とする。【００１１】本発明の車椅子の各補助部材は安全保護を特徴とする。【００１２】本発明の車椅子は、自在操作を想定し使用することができる。【００１３】上記、多様的仕様ができ得ることを特徴とし、請求項１から請求項２３の範囲に属する形態を特徴とする。
【産業上の利用可能性】
【００１４】本発明の車椅子は、段差を安全に越えられ、補助輪の安全機能の特性を活用とした開発であり、車椅子の行動範囲拡大の効果にも適し、進化する車椅子、かつ、人知を遥かに超えた想定外の性能である。車椅子の利用の可能と汎用性を特徴とする。
(57)【要約】【課題】小袋入り飴玉、堅パン駒菓子に［赤○印］と［白×印］とに入れ分けて、簡単な将棋ゲーム等が直ぐに出来るセット商品の創案。【手段】小袋入り飴玉、堅パン駒菓子に二種類の印で分け簡単な将棋ゲーム等が直ぐに出来る、セット商品で子供達も老いも楽しい時間の創案。【選択図】図１
2017185174.tif 000002
【特許請求の範囲】
【請求項１】
小さな堅パン駒に○印と×印等の二種類の印を付け、簡単な将棋ゲーム等が直ぐに出きる様に説明と食品衛生、手洗い等の注意文章と共に簡単将棋盤をセット商品の構成。
【発明の詳細な説明】
【技術分野】
【０００１】非常食用の堅パン等に［×印］と［○印］の印を入れて分けて簡単なゲーム、ハサミ将棋、５並び等、のゲームが  避難時、行楽時、遊び休憩時  に直ぐに実行出来る様にセット商品の創案。
【背景技術】
【０００２】堅パン駒に［×印］と［○印］を入れ分けて、紙  等で作った将棋盤変わり、をセットして楽しく、ゲームが出来る様にセット。
【先行技術文献】
【０００３】
【特許文献１】適当文献  無し
【発明の概要】
【発明が解決しようとする課題】
【０００４】小型の堅パンを観て、食べる時間の外に時間の過仕方はと思案の結果、，堅パンの駒型を利用して将棋等の簡単ゲーム出来る、様にして、楽しい時間の創案  尚、菓子将棋等を指す時は手を洗う事の衛生教育も。子供の頃から老いてからも心身共に健康に役立てる創案。。
【課題を解決するための手段】
【０００５】堅パンを食べる時間も大切にすると共に、小さな堅パンに×印、○印を入れ分けて簡単な将棋等のゲームが直ぐに出来る様に簡単将棋盤、ゲーム説明文をセットしたセット商品を創案。
【発明の効果】
【０００６】本創案は小さな堅パン菓子を将棋等の簡単ゲームの実行で空き時間、を子供も老人も楽しく心身の健康に役立つ時間を創案。
【図面の簡単な説明】
【０００７】堅パンの斜視図  １
【発明を実施するための形態】
【０００８】本創案の堅パン菓子を利用しての菓子将棋を楽しく、避難時に行楽時に遊び  休憩時間等を楽しく  過す時間を創案。
【符号の説明】
【０００９】１    堅パン
２    ○印
３    ×印
2017185174.tif 000003
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
小袋入り飴玉、堅パン駒  等に［赤○印］と［白×印］等の二種類の印を付け分け、簡単な将棋ゲーム等が直ぐに出きる様に説明と食品衛生、手洗い等の注意文章と共に簡単将棋盤をセット商品の構成。
【手続補正２】
【補正対象書類名】明細書
【補正対象項目名】全文
【補正方法】変更
【補正の内容】
【発明の詳細な説明】
【技術分野】
【０００１】非常食、行楽用の堅パン飴玉等に［赤×印】と［白○印】等の印を入れて分けて簡単なゲーム、ハサミ将棋、５並び等、のゲームが  避難時、行楽時、遊び休憩時  に直ぐに実行出来る様にセット商品の創案。
【背景技術】
【０００２】堅パン駒飴玉入れ小袋に［赤×印］と［白○印］を入れ分けて、紙  等で作った将棋盤変わり、をセットして楽しく、ゲームが出来る様にセット。
【先行技術文献】
【０００３】
【特許文献１】適当文献  無し
【発明の概要】
【発明が解決しようとする課題】
【０００４】小袋入り飴玉や小型堅パンを観て、食べる時間の外に時間の過仕方はと思案の結果、，袋入り飴玉、堅パンの駒型を利用して将棋等の簡単ゲーム出来る、様にして、楽しい時間の創案  尚、菓子将棋等を指す時は手を洗う事の衛生教育も。子供の頃から老いてからも心身共に健康に役立てる創案。。
【課題を解決するための手段】
【０００５】小袋入り飴玉、堅パンを食べる時間も大切にすると共に、小袋入り飴玉、堅パンに［赤×印］、［白○印］を入れ分けて簡単な将棋等のゲームが直ぐに出来る様に簡単将棋盤、ゲーム説明文をセットしたセット商品を創案。
【発明の効果】
【０００６】本創案は小袋入り飴玉、堅パン菓子を将棋等の簡単ゲームの実行の時間、を子供も老人も楽しく心身の健康に役立つ時間を創案。
【図面の簡単な説明】
【０００７】
【図１】  堅パンの斜視図  １、
【図２】  第二図飴玉小袋の斜面図  １、
【発明を実施するための形態】
【０００８】本創案の小袋入り飴玉、堅パン菓子を利用しての菓子将棋等のゲームを楽しく、避難時に行楽時に遊び  休憩時間等を楽しく  過す時間を創案。
【符号の説明】
【０００９】第一図    １    堅パン
２    丸印
３    バツ印
第二図    ４    飴玉入り小袋
５    白印
６    赤印
【手続補正３】
【補正対象書類名】図面
【補正対象項目名】全図
【補正方法】変更
【補正の内容】
【図１】
2017185174.tif 000004
【図２】
2017185174.tif 000005
(57)【要約】【課題】簡易なフィールドプレート構造でＭＯＳの耐圧を向上する。【解決手段】一方の端部をドレイン電位で接続し、他方の端部をソース電位で接続したポリシリコンで形成されたフィールドプレートを有し、フィールドプレートはドレイン電位接続側からソース電位接続側の区間で交互にＰ型層、Ｎ型層を繰り返し、Ｐ型層およびＮ型層の幅が、中心部から外周部に向かい狭くなる。また、中心部側のＰ型層、Ｎ型層の幅をそれぞれa1, b1、中心部側より一つ外周側のＰ型層、Ｎ型層の幅をそれぞれa2, b2とした場合、4/5a１≧a2, かつ  4/5b1≧b2であること望ましい。【選択図】図４
2017050452.tif 000002
【特許請求の範囲】
【請求項１】
一方の端部をドレイン電位で接続し、他方の端部をソース電位で接続したポリシリコンで形成されたフィールドプレートを有し、前記フィールドプレートの構造が、前記ドレイン電位接続側から前記ソース電位接続側の区間で交互にＰ型層とＮ型層を繰り返す構造を有し、前記Ｐ型層および前記Ｎ型層の幅が、それぞれ中心部から外周部に向かうに従って狭くなってゆくことを特徴とする半導体装置。
【請求項２】
中心部側のＰ型拡散層、Ｎ型拡散層の幅をそれぞれa1, b1、前記中心部側より一つ外周側のＰ型層、Ｎ型層の幅をそれぞれa2, b2とした場合、4/5a１≧a2, かつ  4/5b1≧b2であることを特徴とした半導体装置。
【発明の詳細な説明】
【技術分野】
【０００１】
本発明は構造が簡易で、低コストで高耐圧化が図れる構造の半導体装置に関する。
【背景技術】
【０００２】
パワーＭＯＳＦＥＴに関してはスイッチング時間短縮と共に、高耐圧化が求められ、多様なフィールドプレート構造が採用されている。
【先行技術文献】
【特許文献】
【０００３】
【特許文献１】特開２００１−４４４３１号公報
【発明の概要】
【発明が解決しようとする課題】
【０００４】
しかしながらフィールドプレートによって高耐圧化を図ろうとすると、フィールドプレートを二段にするなど構造が複雑になり、高コスト化するという問題があった。
【０００５】
本発明は、上記問題点を解決し、構造が簡易で低コストで耐圧向上が図れるＭＯＳの構造を提案することを目的とする。
【課題を解決するための手段】
【０００６】
外周部に形成され、一方の端部をドレイン電位で接続し、他方の端部をソース電位で接続したポリシリコンで形成されたフィールドプレートを有し、
フィールドプレートは、前記ドレイン電位接続側から前記ソース電位接続側の区間において、Ｐ型層とＮ型層が交互に続く構造を有し、Ｐ型層およびＮ型層の幅が、それぞれ中心部から外周部に向かって狭くなってゆくことを特徴とする半導体装置。
【発明の効果】
【０００７】
本発明によれば、フィールドプレートの構造を二段にするなど複雑にせず、素子の高耐圧化が図れる
【図面の簡単な説明】
【０００８】
【図１】従来のＭＯＳのフィールドプレート断面構造である（チップ中心部を含む）。
【図２】従来のＭＯＳのフィールドプレート断面構造である。
【図３】本発明のＭＯＳのフィールドプレート断面構造である（チップ中心部を含む）。
【図４】本発明のＭＯＳのフィールドプレート断面構造である。
【発明を実施するための形態】
【０００９】
以下、本発明の実施の形態となる構造について説明する。
【実施例１】
【００１０】
図１、図２に示すように従来構造のフィールドプレート１４は、絶縁膜上に形成され、一端がドレイン電極、もう一端がソース電極と接続されている。フィールドプレートは、例えば厚さ０．２μｍから２０．５μｍの厚みからなる高抵抗のポリシリコンで形成されている。高抵抗ポリシリコンの両エッジ部はデバイスのドレインとソースと同じ電位になっているため逆バイアスが印加された時、逆バイアス電圧が一様に高抵抗ポリシリコン層に分布する。そのため高抵抗ポリシリコン層下のリサーフ層の表面電位も均一に分布し、これによってリサーフ空乏層をより外側に伸ばすことができる。しかしこの構造では図２のように空乏層がＰ−リサーフ拡散層の角部で伸びにくくなり、この部分で耐圧が低くなるという問題があった。
本発明の構造を図３、図４に示す。本発明の構造では、一方の端部をドレイン電位で接続し、他方の端部をソース電位で接続したポリシリコンから形成されたフィールドプレートを有し、フィールドプレートの構造が、前記ドレイン電位接続側と前記ソース電位接続側の区間においてＰ型層とＮ型層が交互に繰り返し、かつ中心部から外周部に向かってＰ型層とＮ型層の幅が狭くなる構造を有している。このような構造にすることでＰＮ接合に逆バイアスが印加された場合、Ｐ型層、Ｎ型層の幅を中心部と外周部で同じにするよりも、ＰＮ接合に空乏層が広がり、ポリシリコンに容量接合が形成されるので、Ｐ−層（リサーフ）の角部の空乏層の幅を一層広げることができ、耐圧を高くすることが可能になる。
図3および図４に示す本発明の構造においては、ドレイン電位で接続された前記フィールドプレート端部が前記Ｐ型層であり、前記ソース電位で接続された前記フィールドプレート端部が前記Ｎ型層になる。また、空乏層を均一に延ばすにはＰ型層とＮ型層の幅の関係を最適化する必要があり、中心部側のＰ型層、Ｎ型層の幅をそれぞれa1, b1、中心部側より一つ外周側のＰ型層、Ｎ型層の幅をa2, b2とした場合、4/5a１≧a2, 、かつ4/5b1≧b2の関係にあることが望ましい。
【符号の説明】
【００１１】
１、ドレイン拡散層（Ｎ＋）
２、Ｎ−層
３、Ｐ層（ベース）
４、Ｐ−層（リサーフ）
５、Ｎ＋層
６、フィールドプレート（Ｎ層）
７、電極（フィールドプレートをドレイン電位に接続）
８、電極  （フィールドプレートをソース電位に接続）
９、絶縁膜
１０、ソース拡散層(N+層)
１１、トレンチゲート電極
１２、フィールドプレート（Ｐ層）
１３、空乏層
１４、フィールドプレート
１５、ソース電極
【図１】
2017050452.tif 000003
【図２】
2017050452.tif 000004
【図３】
2017050452.tif 000005
【図４】
2017050452.tif 000006
(57)【要約】【課題】  プリント配線板に電子部品を表面実装する際に、半田ボールの発生を抑制することができる電子装置を提供する。【解決手段】  プリント配線板１と、プリント配線板１のパッド７に対し表面実装された電子部品１３と、を含んで構成された電子装置１００であって、パッド７と電子部品１３との間の間隙に、パッド７を被覆するレジスト１１を配置した。【選択図】図２
2017183559.tif 000002
【特許請求の範囲】
【請求項１】
プリント配線板と、該プリント配線板のパッドに対し表面実装された電子部品と、を含んで構成された電子装置であって、
前記パッドと前記電子部品との間の間隙に、前記パッドを被覆するレジストを配置したことを特徴とする電子装置。
【発明の詳細な説明】
【技術分野】
【０００１】
本発明は、プリント配線板に電子部品を表面実装する際に、半田ボールの発生を抑制することができる電子装置に関するものである。
【背景技術】
【０００２】
特許文献１に記載の電子装置では、プリント配線板のパッドと電子部品の接合面との間の間隙に半田を介装させて、電子部品をプリント配線板に表面実装している。
【先行技術文献】
【特許文献】
【０００３】
【特許文献１】特開平６−６１６３５号公報
【発明の概要】
【発明が解決しようとする課題】
【０００４】
しかしながら、特許文献１に記載の電子装置では、加熱による半田付けに際して、上記間隙から溶融した半田が外向きに流出することで、冷却後に半田ボールが発生する可能性がある。
【０００５】
そこで、本発明は、プリント配線板に電子部品を表面実装する際に、半田ボールの発生を抑制することができる電子装置を提供することを目的とする。
【課題を解決するための手段】
【０００６】
本発明は、プリント配線板と、プリント配線板のパッドに対し表面実装された電子部品と、を含んで構成された電子装置であって、パッドと電子部品との間の間隙に、パッドを被覆するレジストを配置したことを特徴とする。
【発明の効果】
【０００７】
本発明によれば、パッドと電子部品との間の間隙に、パッドを被覆するレジストを配置したことによって、半田付けの際に溶融した半田がレジストにより堰き止められる。これにより、溶融した半田が電子部品の接合面よりも外方に流出することが抑制され、冷却後に半田ボールが発生することを抑制することができる。
【図面の簡単な説明】
【０００８】
【図１】図１は本発明の実施形態に係る電子装置の平面図である。
【図２】図２は図１のＡ−Ａ線の断面図である。
【発明を実施するための形態】
【０００９】
以下、本発明を具体化した実施形態を図面に基づいて説明する。
【実施例】
【００１０】
図１及び図２に示すように本実施形態に係る電子装置１００は、プリント配線板１と、電子部品１３と、を含んで構成されている。
プリント配線板１は、電子部品１３が表面実装されるものであり、基板本体３と、パッケージパッド７と、リードパッド９ａ，９ｂと、レジスト１１と、を含んで構成されている。
基板本体３は、板状の絶縁材料を積層することで構成されている。
パッケージパッド７及びリードパッド９ａ，９ｂは、銅箔で構成され、基板本体３の表面３ａにおける所定の位置に形成されている。
レジスト１１は、絶縁材料で構成され、パッケージパッド７，リードパッド９ａ，９ｂに対応する位置にそれぞれ開口１１ａ，１１ｂ，１１ｃを形成しつつ、基板本体３を被覆している。
電子部品１３は、パッケージ部１５と、電極１７と、リード２１ａ，２１ｂと、を含んで構成されている。
パッケージ部１５は、例えば樹脂モールドにより略直方体状に形成され、図２においてパッケージパッド７の図示上方に配置されている。パッケージ部１５の接合面１５ａとパッケージパッド７の表面７ａとの間には間隙２５が形成され、この間隙２５に半田１９が配置されている。
電極１７は、パッケージ部１５の接合面１５ａと面一の状態で形成され、パッケージパッド７の表面７ａに半田１９を介して接合されている。
リード２１ａ，２１ｂは、パッケージ部１５から延出し、リードパッド９ａ，９ｂに図示しない半田を介して接合されている。
【００１１】
ここで、図２の図示左右方向について、パッケージパッド７の表面７ａの両端縁７ｂ，７ｃは、パッケージ部１５の接合面１５ａの両端縁１５ｂ，１５ｃよりも外方に位置している。これにより、パッケージパッド７の表面７ａの面積が拡大することから、パッケージパッド７を介した電子部品１３の放熱性能を十分に確保することができる。
また、図２に示すように、間隙２５に、レジスト１１の半田ボール発生抑制部１１ｄ，１１ｅが配置されている。半田ボール発生抑制部１１ｄ，１１ｅは、図２の図示左右方向に半田１９を挟んだ状態で、パッケージパッド７の表面７ａを被覆している。そして、レジスト１１の開口１１ａの内周面により、半田ボール発生抑制部１１ｄ，１１ｅの側面１１ｆ，１１ｇが形成されている。
【００１２】
本実施形態によれば、半田１９の半田付けの際、間隙２５内で溶融したクリーム半田は、図２の図示左右方向外方への流動しようとするものの、レジスト１１の半田ボール発生抑制部１１ｄ，１１ｅの側面１１ｆ，１１ｇによって堰き止められる。このため、溶融したクリーム半田が、間隙２５の外方、すなわちパッケージ部１５の接合面１５ａの両端縁１５ｂ，１５ｃよりも外方に流出して半田ボールを発生させることを抑制することができる。
【００１３】
本発明は、上記実施形態に限定されず、以下のようにしてもよい。
まず、上記半田ボール発生抑制部は、パッケージパッド７のほか、リードパッド９ａ，９ｂにも適用することができる。
また、パッケージ部１５の接合面１５ａとパッケージパッド７の表面７ａとの間の全周ではなく、半田ボールが発生しやすい箇所に合わせて全周のうち一部に対し、半田ボール発生抑制部を形成するだけでもよい。
【産業上の利用可能性】
【００１４】
電子部品１３のパッケージ部１５の接合面１５ａとパッケージパッド７の表面７ａとの間の間隙２５にレジスト１１の半田ボール発生抑制部１１ｄ，１１ｅが配置されている。このため、半田１９の半田付けの際、溶融したクリーム半田は半田ボール発生抑制部１１ｄ，１１ｅの側面１１ｆ，１１ｇによって堰き止められるため、溶融した半田がパッケージ部１５の接合面１５ａの両端縁１５ｂ，１５ｃよりも外側に流出して半田ボールを発生させることを抑制することができる。
【符号の説明】
【００１５】
１・・・プリント配線板、７・・・パッケージパッド、１１ｄ，１１ｅ・・・半田ボール発生抑制部、１３・・・電子部品、１９・・・半田、２５・・・間隙、１００・・・電子装置
【図１】
2017183559.tif 000003
【図２】
2017183559.tif 000004
(57)【要約】【課題】    本発明は、ウイルスの拡散防止やウイルス防止に使用されている次亜塩素酸塩、エタノール、カチオン系界面活性剤などの化学的成分による皮膚刺激などのリスクを低減させることが可能な、ニガヨモギにより得られたウイルス拡散防止エキス剤を得ることにある。【解決手段】本発明は、ウイルスに活性が認められたセスキテルペン類成分を含有するニガヨモギからウイルス拡散防止エキス剤が得られる。【選択図】なし【特許請求の範囲】
【請求項１】
ニガヨモギから得られるウイルス拡散防止エキス剤
【請求項２】
ニガヨモギから得られる抗菌エキス剤
【発明の詳細な説明】
【技術分野】
【０００１】  本発明は、ウイルス拡散の防止に関する。
【技術背景】
【０００２】  従来より、ウイルスの拡散防止やウイルス防止には、次亜塩素酸塩、エタノール、カチオン系界面活性剤などが使用されている。
【０００３】  しかしながら、従来使用されている成分は、皮膚刺激などが懸念されていることから、自然物を素材として創られた成分によるウイルス拡散防止やウイルス防止が望まれている。
【先行技術文献】
【特許文献】
【０００４】
【特許文献１】特表２００６−５０４７８７
【特許文献２】特開２０１３−１０７２８
【発明の概要】
【発明が解決しようとする課題】
【０００５】  本発明は、以上のような、化学的に生成された成分ではなく、ニガヨモギから得られる抽出液によりウイルス拡散防止剤を提供することを目的としている。
【課題を解決するための手段】
【０００６】  本発明は、キク科ヨモギ属の一種であるニガヨモギに含まれる成分、セスキテルペン類、及び特にセスキテルペンラクトンエンドペルオキシド類がウイルスに活性があることを見出したものである。【０００７】  本発明は、特開２０１３−１０７２８で述べられている、化粧品用防腐成分として造られたものをウイルス拡散防止又はウイルス防止剤として利用するものである。
【発明の効果】
【０００８】  本発明の効果は、特開２０１３−１０７２８により造られた防腐・抗菌機能を有するエキス剤が、特表２００６−５０４７８７により確認されたウイルス群に活性があることが示唆されたものである。【０００９】  本発明は、ウイルス拡散防止の他、Ｓａｌｍｏｎｅｌｌａ属（サルモネラ菌）の増殖抑制、Ｓｔａｐｈｙｌｏｃｏｃｃｕｓ  ａｕｒｅｕｓ（黄色ブドウ球菌）、Ｅｓｃｈｅｒｉｃｈｉａ  ｃｏｌｉ（大腸菌）、Ｋｌｅｂｓｉｅｌｌａ  ｐｎｅｕｍｏｎｉａｅ（肺炎桿菌）、Ａｓｐｅｒｇｉｌｌｕｓ  ｎｉｇｅｒ（クロカビ）、Ｃａｎｄｉｄａ  ａｌｂｉｃａｎｓ（真菌）の防止に効果がある。（特開２０１３−１０７２８）
【発明を実施するための形態】
【００１０】  以下、本発明の実施を説明する。
【実施例１】
【００１１】  ニガヨモギから得られたエキス１０％配合した水溶液を、ウイルス除去したい箇所に直接噴霧する。
【実施例２】
【００１２】  ニガヨモギから得られたエキス７％配合した水溶液を、除菌した箇所に直接噴霧する。
【産業上の利用可能性】
【００１３】  本発明は、衛生用品を製造する産業で利用される。【００１４】  本発明は、水性液体成分であることから噴霧を目的とした水溶液への配合が容易である。
(57)【要約】      （修正有）【課題】がんをはじめとする生活習慣病の予防と治療方法の提供。【解決手段】漢方薬草である地黄と黄精を同時に服用する。アルコール度５５度の高粱酒やエタノールに二か月ほど漬けて薬酒として服用又は他の溶剤で溶かしてジュースとしても服用、或いは脱水乾燥させたものを粉状にしたものや錠剤化したものを毎日服用する方法。地黄と黄精の比率は半々程度でよい、また毎日の服用量も特に制限はない。最新の癌免疫療法では患者の樹状細胞やＴ細胞等の免疫細胞を体外で培養増殖して患者にもどすことで治療が行われるが、患者は地黄と黄精を同時服用することで免疫細胞が患者の体内で自然に活性化され、副作用もなく、癌免疫療法と同じ効果が得られる。免疫効果がより促進されるために、現代版整体理論による体内環境の改善が必要である。【選択図】図４
2017105743.tif 000002
【特許請求の範囲】
【請求項１】
漢方薬草  地黄と黄精を使ったがん免疫細胞活性化によるがん治療と予防法
【発明の詳細な説明】
【技術分野】
【技術分野】漢方薬草の薬理作用の現代研究で以下の効能が確認された【０００１】地黄：有機リンパ芽球細胞の成長促進  Ｔリンパ細胞ＮＫ細胞の増殖促進  単球細胞から発生するマクロファージの呑噬機能の促進等々免疫機能の回復【０００２】黄精：ＤＮＡ／ＲＮＡ等タンパク質の合成促進  リンパ細胞の増殖促進  血液内脂肪の抑制  血糖値の抑制作用  白血球減少抑制【０００３】黄精により、核酸の生成が促進され細胞分裂時のＤＮＡ／ＲＮＡ転写ミスが減少し癌細胞発生が抑制される
また、地黄によりＴリンパ細胞、ＮＫ細胞の増殖力が強化され、発生してしまった癌細胞を攻撃し消滅させてしまう
黄精により強化された白血球の免疫機能のうち、単球からのマクロファージによる呑噬機能が癌細胞を取り込んで消滅させる【０００４】地黄はＴリンパ球細胞を活性化することで免疫障害を起こす攻撃抑制抗体を取り除く
地黄と黄精の共同薬事効果を最大化するための体質改善策を現代版整体理論に基づき行う事で副作用の心配もなく、マクロファージ、樹状細胞、ＮＫ細胞、Ｔ型細胞が活性化し、薬物免疫治療と同等の癌治療、予防効果を発揮する
【背景技術】
【０００１】
2017105743.tif 000003
【０００２】九州大学先端医療イノベーションセンター【０００３】現代版整体理論
【先行技術文献】
樹状細胞の抗体認識機能を強化しＴリンパ細胞ＮＫ細胞のがん細胞攻撃能力を蘇生させる免疫抗ガン治療法
【特許文献１】樹状細胞の培養方法特願２０１４−０１７５６６
【発明の概要】
【発明が解決しようとする課題】
【０００１】ステロイド、インスリン、シスプラチン等の抗生物質を使うことのない自然薬草である地黄、黄精の効能を使って、副作用のないガンをはじめとする糖尿病や高脂質といった生活習慣病やアトピー、花粉症等の免疫予防、治療が可能となるかを研究した
【課題を解決するための手段】
【０００１】地黄と黄精の効能成分分析を現代医学の手法で実施  遺伝子医学によるガン免疫療法での治療法をこの二種類の漢方薬草で同じ効果が確認出来るかを検証した
【図面の簡単な説明】
【図１】現代版整体理論  服用してきた薬の種類のみでなく食生活、ライフスタイルの違い等により、各人の体質は異なっている  西洋の薬の長期服用による活性酸素や冷え性等の問題があれば、漢方薬の効き目も変わってくる  通常の漢方薬や食事改善により薬の効く体質にまず戻すことが必要である
【図２】
2017105743.tif 000004
【図３】
2017105743.tif 000005
【図４】癌細胞撲滅のための機能分担
【図５】
2017105743.tif 000006
【図６】試作品
【発明を実施するための形態】
【０００１】アルコール度５５度の高粱酒やエタノールに二か月ほど漬けて薬酒として服用する  ほかの溶剤で溶かしてジュースとしても服用可
【０００２】脱水乾燥させたものを粉状にしたものや錠剤化したものを毎日服用する
【０００３】地黄と黄精の比率は半々程度でよい  また毎日の服用量も特に制限はない
【０００４】癌患者は、西洋医学の免疫細胞療法の様な樹状細胞を体外に抽出して培養するといった手間もなく自宅に居ながら地黄と黄精から成る免疫治療薬を服用するだけで癌治療等生活習慣病の治療と予防がなされる
【図１】
2017105743.tif 000007
【図２】
2017105743.tif 000008
【図３】
2017105743.tif 000009
【図４】
2017105743.tif 000010
【図５】
2017105743.tif 000011
【図６】
2017105743.tif 000012
(57)【要約】      （修正有）【課題】車内のサンバイザー枠外から差し込む太陽光を、遮るスポット日除けを提供する。【解決手段】吸盤１湾曲頂部の突起部２に筒４を嵌め込み設け，吸盤湾曲下部の正対する両側に紐３を設け、その紐を筒の外面正対する両側に設け，吸盤より大きい薄い紙面５の中心部に穴を設け、その穴の正対する両側こ外方向に切り込みを設け、紙面に設ける穴を筒に嵌め込み、穴の両側に設けた切り込みに筒に設ける両側の紐を通し、この紙面を吸盤頂部に設ける。【選択図】図５
2017105415.tif 000002
【特許請求の範囲】
【請求項１】
吸盤湾曲頂部の突起部に筒を嵌め込み設け，吸盤湾曲下部の正対する両側に紐を設け、その紐を筒の外面正対する両側に設け，吸盤より大きい薄い紙面の中心部に穴を設け、その穴の正対する両側こ外方向に切り込みを設け、紙面に設ける穴を筒に嵌め込み、穴の両側に設けた切り込みに筒に設ける両側の紐を通し、この紙面を吸盤頂部に設ける。
以上が特徴とするスポット日除けである。
【発明の詳細な説明】
【技術分野】
【０００１】本発明は、車内設置のサンバイザー枠外からの、差し込む太陽光に対しての日除けに関するものである。
【背景技術】
【０００２】従来、車内に差し込む太陽光の日除けは、車内設置のサンバイザーを使用している。
【発明の概要】
【発明が解決しようとする課題】
【０００３】車内設置のサンバイザーの枠外から太陽光が差し込み、眩しく運転しずらい。このため手を太陽光に向け、手を日除けにして運転する場合もある。
本発明は、この問題から手に代わる日除けを考えたものである。
【課題を解決するための手段】
【０００４】吸盤湾曲頂部の突起部に筒を嵌め込み設ける。吸盤湾曲下部の正対する両側に紐を設け、その紐を筒の外面正対する両側に設ける。吸盤より大きい薄い紙面の中心部に穴を設け、その穴の正対する両側に外方向に切り込みを設ける。紙面に設ける穴を筒に嵌め込み、穴の両側に設けた切り込みに筒に設ける両側の紐を通し、この紙面を吸盤頂部に設ける。
以上がスポット日除けである。
【発明の効果】
【０００５】イ）どんな角度から差し込む太陽光も、スポットに日除けが出来る。
ロ）太陽光が移動しても、太陽光を追ってスポットに日除けが出来る。
【図面の簡単な説明】
【０００６】
【図１】本発明の吸盤の正面図。
【図２】本発明の吸盤の平面図。
【図３】本発明の紙面の平面図。
【図４】本発明の吸盤に、本発明の紙面を設ける平面図。
【図５】本発明の図４の側面図。
【図６】サンバイザーの枠外から差し込む太陽光図。
【図７】本発明の使用例図。
【発明を実施するための形態】
【０００７】以下、本発明の実施の形態について説明する。
イ）吸盤（１）湾曲頂部の突起部（２）に筒（４）を嵌め込み設ける。
ロ）吸盤（１）湾曲下部の正対する両側に紐（３）を設け、その紐（３）を筒（４）の外    面正対する両側に設ける。
ハ）吸盤（１）よりやや大きい薄い紙面（５）の中心部に穴（６）を設け、その穴（６）    の正対する両側に外方向に切り込み（７）を設ける。
ニ）紙面（５）に設ける穴（６）を筒（４）に嵌め込み、穴（６）の両側に設けた切り込    み（７）に筒（４）に設ける両側の紐（３）を通し、この紙面（５）を吸盤（１）頂    部に設ける。
本発明は以上のような構成で、これを使用する時は、車内設置のサンバイザー外から差し込む太陽光のガラス面に、太陽光中心部に向かって吸盤（１）を付着させ、吸盤（１）頂部に設ける紙面（５）で太陽光を日除けするものである。この吸盤（１）を付着する場合、吸盤（１）突起部（２）に嵌め込む筒（４）をガラス面に押し付ける。すると吸盤（１）の頂部が押されて付着来る。又、吸盤（１）を剥がす場合、筒（４）を引っ張ると、筒（４）両側に設ける紐（３）が同時に引っ張られ、吸盤（１）の湾曲下部に設ける両側の紐（３）が上方に引っ張られ吸盤（１）が剥がれる。この吸盤（１）突起部（２）に設ける筒（４）を押し付けたり引っ張ったりで、吸盤（１）の着脱が出来るものである。又、吸盤（１）頂部に設ける紙面（５）の他にプラスチック系や布製品を材料として使用することも出来る。
【符号の説明】
【０００８】１  吸盤
２  突起部
３  紐
４  筒
５  紙面
６  穴
７  切り込み
【図１】
2017105415.tif 000003
【図２】
2017105415.tif 000004
【図３】
2017105415.tif 000005
【図４】
2017105415.tif 000006
【図５】
2017105415.tif 000007
【図６】
2017105415.tif 000008
【図７】
2017105415.tif 000009
(57)【要約】      （修正有）【課題】使用時にワンタッチで広がり、フロントガラスに容易に装着することができ、不要時にはコンパクトに収納することができる、パラソル感覚のカーサンシェードを提供する。【解決手段】中軸紐６と、複数本により形成されている主骨材３があり、中軸紐６や主骨材３に対し、それぞれ回動可能に設けられている副骨材とで構成されている。副骨材が主骨材３と中軸紐６の間を拡げることにより遮光生地２を開閉させる。全ての骨部材の一端が、中軸紐６の一箇所で回動可能に支持されおり、中軸紐６を中心軸に可動式保持具で延伸調整することにより、遮光生地２を開閉させることを特徴とするパラソル式カーサンシェード１。【選択図】図１
2017105414.tif 000002
【特許請求の範囲】
【請求項１】
中軸紐と、複数本により形成されている主骨材があり、中軸紐や主骨材に対し、それぞれ回動可能に設けられている副骨材とで構成されている。副骨材が主骨材と中軸紐の間を拡げることにより遮光生地を開閉させる。全ての骨部材の一端が、中軸紐で回動可能に支持されおり、中軸紐を中心軸に可動式保持具で延伸することで、全ての骨部材が回動し遮光生地を開閉させることを特徴とするパラソル式カーサンシェード。
【発明の詳細な説明】
【技術分野】
【０００１】  本発明は、自動車用サンシェードに関するものである。
【背景技術】
【０００２】  従来、ジャバラの構造やアコーディオン伸縮体を利用し車内側に立て掛けて使用するタイプの発明がある（特許文献１，２参照）。また、マグネットでカーテンを取り付けるようにしたものがある（特許文献３参照）。
【先行技術文献】
【特許文献】
【０００３】
【特許文献１】  特開２０１４−１６９０６３公報
【特許文献２】  特開２００９−１２６３７３公報
【特許文献３】  登録実用第３０９７３３８公報
【発明の概要】
【発明が解決しようとする課題】
【０００４】  上述のサンシェードは収納には容易であるが、装着するのに手間がかかり駐車と運行を繰り返す場合には不便である（特許文献１，２参照）。また、カーテン式のものはフロントの視界を制約する恐れがある（特許文献３参照）。
本発明は、以上の問題点を解決するためになされたものである。
【課題を解決するための手段】
【０００５】  中軸と、複数本により形成されている主骨があり、中軸や主骨に対し、それぞれ回動可能に設けられている副骨とで構成されている。副骨が主骨と中軸の間を拡げることにより遮光生地を開閉させることを特徴とするパラソル式カーサンシェード。
【発明の効果】
【０００６】  本発明によるカーサンシェードを用いれば、使用時にはワンタッチで遮光生地が広がってフロントガラス内側の窓枠にしっかりと装着固定でき、不使用時には簡単に閉じて収納することができる。
【図面の簡単な説明】
【０００７】
【図１】  本発明の概略を示す斜視図である。
【図２】  図１に示す本発明を矢印Ａ方向から見た平面図である。
【図３】  図２に示す本発明を矢印Ｂ−Ｂ’方向から見た断面図である。
【図４】  図３で示す本発明の展開動作を示す図（半開の状態）である。
【図５】  本発明を自動車フロントガラスへの装着固定を示す図である。
【図６】  図１で示す本発明の開閉の動作を示す図（閉の状態）である。
【発明を実施するための形態】
【０００８】  図１及び図２に示すように、カーサンシェード（１）の生地（２）には４本の主骨（３）が用いられ、主骨（３）の一端側で生地（２）の頂部が縁具（９）で保持されている。また生地（２）にはバックミラー（１１）に装着固定させる開口部（１０）が設けられている。
【０００９】  図３及び図４に示すように、主骨（３）と副骨（４）はどれも中軸（６）に取り付けた固定式保持具（８）と可動式保持具（７）に回動可能に連結されている。また副骨（４）を回動可能に連結するため枢支軸（５）が設けられている。さらに可動式保持具（７）の先端部が固定式保持具（８）の凹部分に差し込まれ固定される構造である。
【００１０】  図５に示すように、本発明を使用するときは、まず中軸（６）と可動式保持具（７）を持ち中軸（６）を手前に引くことにより、主骨（３）に取り付けられた生地（２）が広がり、広がった生地（２）の開口部（１０）をバックミラー（１１）の裏側に装着して、カーサンシェード（１）全体をフロントガラスの内側に置いて装着固定を完了する。
【００１１】  本発明の形態では、カーサンシェード（１）の生地（２）に４本の主骨（３）を設けたが、例えば主骨（３）は２本でもよく、また３本以上の複数本であってもよい。
【符号の説明】
【００１２】１  カーサンシェード、２  生地（遮光生地）、３  主骨（骨部材）、４  副骨（骨部材）、５  枢支軸（骨部材）、６  中軸（紐部材）、７  可動式保持具、８  固定式保持具、９  縁具、１０  開口部、１１  バックミラー
【図１】
2017105414.tif 000003
【図２】
2017105414.tif 000004
【図３】
2017105414.tif 000005
【図４】
2017105414.tif 000006
【図５】
2017105414.tif 000007
【図６】
2017105414.tif 000008
(57)【要約】      （修正有）【課題】衝突応力を受けたときバンパビームの変形挙動を制御することを目的とする。【解決手段】バンパビームが、カバー（１２）を有する帽子型プロファイル（１１）を有し、カバーは、帽子型プロファイル内に陥凹され、帽子型プロファイルの内側で、帽子型プロファイルの側部（１６、１７）に溶接される。【選択図】図３
2017105458.tif 000002
【特許請求の範囲】
【請求項１】
中央フランジ（１５）と側部（１６、１７）とを有し、該側部が側部フランジ（１８、１９）を有し、中央フランジが車両に向かって内向きに面し、側部フランジが車両から外向きに面する帽子型プロファイル（１１）から構成され、帽子型プロファイルは、該帽子型プロファイル内に陥凹され閉じたプロファイルを与えるカバー（１２）を有する、バンパビームであって、
カバー（１２）が帽子型プロファイルの内側で側部に溶接されることを特徴とする前記バンパビーム。
【請求項２】
帽子型プロファイルは、その端部付近に、車両に締結するために２つの部分（１３、１４）を有し、カバー（１２）は、該締結部分に垂直くぼみ（２７、２９）を有することを特徴とする請求項１に記載のバンパビーム。
【請求項３】
帽子型プロファイルは、その端部付近に、車両に締結するために２つの部分（１３、１４）を有し、カバーは、該締結部分間に水平くぼみ（３１、３２）を有することを特徴とする請求項１または２に記載のバンパビーム。
【請求項４】
帽子型プロファイルの側部は、締結部分にくぼみ（２２〜２６）を有し、該くぼみは、車両の長手方向に配向されることを特徴とする請求項１〜３のいずれか１項に記載のバンパビーム。
【発明の詳細な説明】
【技術分野】
【０００１】
本発明は、中央フランジと、側部フランジを有する側部とを有し、中央フランジが車両に向かって内向きに面し、側部フランジが車両から外向きに面する帽子型（ｈａｔ）プロファイルを有し、帽子型プロファイルは、帽子型プロファイル内に陥凹され閉じたプロファイルを与えるカバーを有する、バンパビームに関する。
【背景技術】
【０００２】
特許文献１は、帽子型ビームのフランジに溶接され、エネルギー吸収発泡体を収容するために帽子型プロファイル内に折り曲げられたカバーを有するバンパビームを示す。
【先行技術文献】
【特許文献】
【０００３】
【特許文献１】ＥＰ１０２７２３１
【発明の概要】
【発明が解決しようとする課題】
【０００４】
本発明の目的は、衝突応力を受けたとき変形挙動を制御することである。
【課題を解決するための手段】
【０００５】
本発明によれば、カバーは、帽子型プロファイルの内側で、そのプロファイルの側部に溶接される。その結果、カバーは、ビーム断面を剛性化し、ビームの側部の潰れを防止する。本発明は、特許請求の範囲によって定義される。
【図面の簡単な説明】
【０００６】
【図１】本発明の例示的な実施形態を示すバンパビームの等角図である。
【図２】その２つの要素が分離されている図１によるバンパビームの図である。
【図３】図１内の線分３を通る断面図である。
【発明を実施するための形態】
【０００７】
金属のバンパビームは、帽子型プロファイル１１と、カバー１２とを含む。帽子型プロファイルは湾曲しており、プロファイルの長さに沿って変わる断面を有する。プロファイルは、バンパビームを車両に締結するために２つの締結部分１３、１４を有する。
【０００８】
帽子型プロファイルは、中央部材１５と、側部フランジ１８、１９で終わる側部部材１６、１７とを有する。側部フランジは、逆方向部材２０、２１を有する。締結部分では、帽子型プロファイルの側部が、車両の長手方向に延びる水平くぼみ２２〜２６を有する。カバーは、締結部分１３、１４の位置に垂直くぼみ２７〜３０を有し、締結部分間に水平くぼみ３１、３２を有する。これらの様々なくぼみは、バンパビームを補強し、受ける可能性がある様々な衝突荷重時にその変形挙動を改善するように働く。カバーは、帽子型プロファイル内に陥凹され、帽子型プロファイルの内側で、溶接部３３、３４で側部１６、１７に溶接される。溶接部３３、３４は、帽子型プロファイルの側部１６、１７を支持し、衝突応力下で側部１６、１７の座屈を遅らせ、したがって、ビームはより有利な状態で変形され、それによりエネルギーの吸収を高める。これは、より高いプロファイルおよび／またはより小さいシート厚の使用を可能にし、それにより性能を維持しつつ重量を節約する。
【０００９】
カバーと帽子型プロファイルは共に、熱間成形または冷間成形鋼から作製される。帽子
型プロファイルは、プレス硬化（ｐｒｅｓｓ  ｈａｒｄｅｎｉｎｇ）技法を使用して作製することができるが、カバーは、帽子型プロファイルほど高い極限強さを有する必要がないので、冷間成形することができることが有利である。
【００１０】
カバーは、締結部分を越えて帽子型プロファイルの端部領域を覆わないが、別法として、カバーは、帽子型プロファイル全体を覆ってもよい。
【図１】
2017105458.tif 000003
【図２】
2017105458.tif 000004
【図３】
2017105458.tif 000005
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
中央フランジ（１５）と側部（１６、１７）とを有し、該側部が側部フランジ（１８、１９）を有し、中央フランジが車両に向かって内向きに面し、側部フランジが車両から外向きに面する帽子型プロファイル（１１）を有し、ここで帽子型プロファイルは、その端部付近に車両に締結するための２つの締結部分（１３、１４）、および、該帽子型プロファイル（１１）内に陥凹され該帽子型プロファイル（１１）に閉じたプロファイルを与えるカバー（１２）を有する、バンパビームであって、
カバー（１２）が該締結部分（１３、１４）に垂直くぼみ（２７、２９）を有し、そして帽子型プロファイルの内側で側部に溶接されることを特徴とする前記バンパビーム。
【請求項２】
カバー（１２）は、該締結部分間に水平くぼみ（３１、３２）を有することを特徴とする請求項１に記載のバンパビーム。
【請求項３】
帽子型プロファイルの側部は、締結部分（１３、１４）にくぼみ（２２〜２６）を有し、該くぼみは、車両の長手方向に配向されることを特徴とする請求項１または２に記載のバンパビーム。
【外国語明細書】
2017105458000001.pdf